(57)【要約】【課題】素足で履くフットカバーにおいて、縫い目があるために歩行時やパンプスの脱ぎ履き時にフットカバーが脱げてしまったり履き位置がずれてしまったり、縫い目があるために履きにくかったり履き心地が悪かったりする。【解決手段】このフットカバー１００は、爪先と踵を含む足底とを被覆するとともに足甲および足首を露出するフットカバーであって、爪先部１０２Ａと側辺部１０２Ｂと踵部１０２Ｃとが（足底部１０４以外の側部１０２が）所定の周縁形状を備えた１枚の生地である第１の伸縮性編地１２０により構成され、足底部１０４が所定の周縁形状を備えた１枚の生地である第２の伸縮性編地１４０により構成され、それらが底接着テープ１０８で接合することにより縫い目を備えないで立体的な形状に形成されている。【選択図】図１
2018095996.tif 000002
【特許請求の範囲】
【請求項１】
爪先と踵を含む足底とを被覆するとともに足甲および足首を露出するフットカバーであって、足底部、側辺部、踵部および前記爪先を覆う爪先部で形成され、
前記側辺部、前記踵部および前記爪先部を形成する第１の伸縮性編地と、前記足底部を形成する第２の伸縮性編地とを接着テープで接合することにより縫い目を備えないで立体的な形状に形成されていることを特徴とするフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、履きやすく履き心地がよく、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
ここで、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
特に、従来のフットカバーにおいて、足底部と踵部とを別々の生地で構成してそれらの生地が縫製されている場合、縫い目が足裏または踵に引っ掛かってしまうことがあり、歩行時やパンプスの脱ぎ履き時にフットカバーが脱げてしまったり履き位置がずれてしまったり、縫い目があるために履きにくかったり履き心地が悪かったりする問題がある。
本発明は、従来技術の上述の問題点に鑑みて開発されたものであり、その目的とするところは、縫い目があるために歩行時やパンプスの脱ぎ履き時にフットカバーが脱げてしま
ったり履き位置がずれてしまったりすることがなく、縫い目があるために履きにくかったり履き心地が悪かったりすることがないフットカバーを提供することを目的とする。
【課題を解決するための手段】
【０００８】
上記目的を達成するため、本発明に係るフットカバーは以下の技術的手段を講じている。
すなわち、本発明に係るフットカバーは、爪先と踵を含む足底とを被覆するとともに足甲および足首を露出するフットカバーであって、足底部、側辺部、踵部および前記爪先を覆う爪先部で形成され、前記側辺部、前記踵部および前記爪先部を形成する第１の伸縮性編地と、前記足底部を形成する第２の伸縮性編地とを、接着テープで接合することにより縫い目を備えないで立体的な形状に形成されていることを特徴とする。
【０００９】
好ましくは、前記第１の伸縮性編地および前記第２の伸縮性編地は、それぞれ、所定の周縁形状を備えた平面状編地であって、前記第２の伸縮性編地の周縁と前記第１の伸縮性編地の周縁の一部とを、接着テープで接合することにより形成されているように構成することができる。この場合において、前記第１の伸縮性編地の一部分どうしを接着テープで接合することにより踵を覆う部分が形成されているように構成することができる。
【発明の効果】
【００１０】
本発明のフットカバーによれば、縫い目があるために歩行時やパンプスの脱ぎ履き時にフットカバーが脱げてしまったり履き位置がずれてしまったりすることがないようにすることができ、かつ、縫い目があるために履きにくかったり履き心地が悪かったりすることがないようにすることができる。
【図面の簡単な説明】
【００１１】
【図１】本発明の実施の形態に係るフットカバーの全体斜視図である。
【図２】図１のフットカバーを裏返した全体斜視図である。
【図３】図１のフットカバーの三面図（Ａ）、図２のフットカバーの三面図（Ｂ）である。
【図４】図１のフットカバーの展開図である。
【発明を実施するための形態】
【００１２】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその生地の接合方法がどのようなものであっても基本的には構わない。そのため、以下に示すフットカバーの構造自体は単なる例示でしかない。
【００１３】
なお、このフットカバーを形成する生地は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００１４】
さらに、本実施の形態に係るフットカバーは、爪先と踵を含む足底とを被覆するとともに足甲および足首を露出するフットカバーであって、足底部、側辺部、踵部および爪先を覆う爪先部で形成される。また、限定されるものではないが、以下に示すフットカバーは左右共用であって、左右共用であるために左右を履き間違いすることがない点で好ましい。なお、フットカバーが左右共用でない場合には、左足用と右足用とは左右対称の形状を備える。
【００１５】
そして、特徴的であるのは、側辺部、踵部および爪先部を形成する第１の伸縮性編地と、足底部を形成する第２の伸縮性編地とを、接着テープで接合することにより縫い目を備
えないで立体的な形状に形成されている。特に、第１の伸縮性編地および第２の伸縮性編地は、それぞれ、所定の周縁形状を備えた平面状編地であって、第２の伸縮性編地の周縁と第１の伸縮性編地の周縁の一部とを、接着テープで接合することにより形成されている。このような生地の接合については限定されるものではないが、帯状部材の一面に接着材が塗布された接着テープであって、加熱することにより接着材が溶融して生地を熱接着して接合するものが好ましい。なお、この接合には、熱圧着によるもの、熱溶着によるもの、熱融着によるもの等を含む。
【００１６】
図１に本発明の実施の形態に係るフットカバー１００の全体斜視図を、図２にこのフットカバー１００を裏返した全体斜視図を、図３（Ａ）に図１の状態（裏返していない状態）のフットカバー１００の三面図（爪先前方から見た正面図、側面図および踵後方から見た背面図）を、図３（Ｂ）に図２の状態（裏返した状態）のフットカバー１００の三面図（爪先前方から見た正面図、側面図および踵後方から見た背面図）を、図４にこのフットカバー１００の展開図（型紙）を、それぞれ示す。ここで、図１、図２および図３は、着用者の足Ｆにフットカバー１００を着用している状態を想定している。すなわち、本発明の実施の形態に係るフットカバー１００は、トリコット等の伸縮性生地で形成されているために、このように想定して図示しない場合には縮んだ状態となり、形状を理解することが困難なため、上述のように想定している。特に、図３においては、このフットカバー１００の特徴を容易に理解できるように、実際に着用している状態よりも足底部１０４がよく見えるように描かれている。
【００１７】
このフットカバー１００は、着用者の足Ｆの爪先と踵を含む足底とを被覆するとともに足甲および足首を露出するフットカバーである。このフットカバー１００は、着用時にパンプスから露出することのないよう履き口である開口部が大きくカットされた薄手の伸縮性生地（トリコット等の生地）で形成されている。ここで、着用時にパンプスから露出することのないとは、フットカバー１００がパンプスに隠れて、見えなくなることも、見えにくくなることも含む。
【００１８】
フットカバー１００は、爪先部１０２Ａ、足底部１０４（より詳しくは、爪先側足底部１０４Ａ、中央足底部１０４Ｂおよび踵側足底部１０４Ｃ）、側辺部１０２Ｂおよび踵部１０２Ｃで形成されている。そして、足底部１０４に対して上下反対側に足を出し入れするための開口部が設けられている。この開口部の上縁の全周に亘ってフットカバー１００の内側（足Ｆが接する側：肌側）に伸縮性細幅生地１１４が設けられている。このフットカバー１００を履くときに伸縮性細幅生地１１４を伸張させると開口部が大きく開くために履きやすく、かつ、このフットカバー１００を履いた後は伸縮性細幅生地１１４を収縮して開口部が小さくなるために歩行時にフットカバー１００が脱げることがない。なお、この開口部の上縁の全周に亘ってフットカバー１００の外側（足Ｆが接する側とは逆側：靴側）に伸縮性細幅生地１１４を設けるようにしても構わない。なお、この伸縮性細幅生地１１４は、開口部の上縁の全周ではなく上縁の一部に設けるようにしても構わないし、連続的ではなく断続的に設けるようにしても構わない。
【００１９】
さらに、このフットカバー１００の踵部１０２Ｃの上縁には、フットカバー１００の内側（足Ｆが接する側：肌側）には、シリコン樹脂等の薄い透明のシートで形成された踵部滑り止め１１６を設けることも好ましい。従って、踵部１０２Ｃには、生地（より詳しくは第１の伸縮性編地１２０）の上側（内側）に伸縮性細幅生地１１４が設けられ、さらにその上側（内側）に後述する踵接着テープ１０６が設けられ、さらにその上側（内側）に踵部滑り止め１１６が設けられている。これにより、足Ｆの踵との密着性を高めてフットカバー１００が足Ｆの踵の部分からずれることをさらに防止することができる。なお、この踵部滑り止め１１６は、本発明に係るフットカバーにおいて必須の構成ではない。
【００２０】
そして、このフットカバー１００の特徴は、図４の展開図（型紙）に示すように、爪先部１０２Ａと側辺部１０２Ｂと踵部１０２Ｃとが（すなわちこのフットカバー１００の足底部１０４以外の側部１０２が）所定の周縁形状を備えた１枚の生地である第１の伸縮性編地１２０により構成され、足底部１０４が所定の周縁形状（概略的には足裏形状に略等しい）を備えた１枚の生地である第２の伸縮性編地１４０により構成されている点である
。すなわち、足底部１０４以外の側部１０２が第１の伸縮性編地１２０により構成され、足底部１０４が第２の伸縮性編地１４０により構成されている。なお、生地は２枚でなく３枚（以上）であっても構わない。
【００２１】
そして、第１の伸縮性編地１２０と第２の伸縮性編地１４０とが図４の矢示Ｘ（１）方向および矢示Ｘ（２）方向にそれぞれ接近されて、
第１の伸縮性編地１２０の爪先部１０２Ａの上側接着線１０８Ｂと、第２の伸縮性編地１４０の爪先側足底部１０４Ａの下側接着線１０８Ａとが、当接されて、
第１の伸縮性編地１２０の側辺部１０２Ｂの上側接着線１０８Ｂと、第２の伸縮性編地１４０の中央足底部１０４Ｂの下側接着線１０８Ａとが、当接されて、
第１の伸縮性編地１２０の踵部１０２Ｃの上側接着線１０８Ｂと、第２の伸縮性編地１４０の踵側足底部１０４Ｃの下側接着線１０８Ａとが、当接されて、
その当接部分が、１本の底接着テープ１０８で接合されている。
【００２２】
すなわち、第２の伸縮性編地１４０の（全）周縁である下側接着線１０８Ａと第２の伸縮性編地１４０の周縁の一部である上側接着線１０８Ｂとを、１本の底接着テープ１０８で接合することにより、このフットカバー１００が形成されている。なお、底接着テープ１０８は２本以上に分断されていても構わない。
さらに、この第１の伸縮性編地１２０において、踵左側接着線１０６Ａと踵右側接着線１０６Ｂとが図４の矢示Ｙ方向に接近されて当接されて、１本の踵接着テープ１０６で接合されている。
【００２３】
この場合において、踵接着テープ１０６および底接着テープ１０８はその一面（生地（第１の伸縮性編地１２０および第２の伸縮性編地１４０）側）に接着材が塗布されており、加熱することにより踵接着テープ１０６および底接着テープ１０８に塗布された接着材が溶融して生地を熱接着して接合している。また、踵接着テープ１０６および底接着テープ１０８は、フットカバー１００の裏側（足Ｆが接する側：肌側）から熱接着されて生地を接合している。しかしながら、踵接着テープ１０６および／または底接着テープ１０８は、フットカバー１００の表側（足Ｆが接する側とは逆側：靴側）から熱接着されて生地を接合するようにしても構わない。このようにして、縫い目を備えないで爪先部１０２Ａと側辺部１０２Ｂと足底部１０４と踵部１０２Ｃとを備えたフットカバー１００が立体的に形成されている。
【００２４】
このように、このフットカバー１００においては、足底部１０４以外の側部１０２が第１の伸縮性編地１２０により構成され、足底部１０４が第２の伸縮性編地１４０により構成されているために、従来のフットカバーのように足底部と踵部とが別々の生地で縫製されている場合に発生する縫い目が踵に引っ掛かって歩行時やパンプスの脱ぎ履き時にフットカバーが脱げてしまったり履き位置がずれてしまったりする問題を回避することができ、かつ、縫い目が全く存在しないので履き心地が極めて良いものとなる。
【００２５】
さらに、足底部１０４において、足Ｆが接する側と反対側（パンプスを履いたときにパンプスの内底に接する側）には、シリコン樹脂等の薄いシートで形成された足底部滑り止めを設けることも好ましい。これにより、パンプスの内底との密着性を高めてパンプス内におけるフットカバー１００の位置がずれることを防止できる。なお、この足底部滑り止めも、本発明に係るフットカバーにおいて必須の構成ではない。
【００２６】
なお、このフットカバー１００において、このフットカバー１００を形成する、足底部１０４以外の側部１０２を形成する第１の伸縮性編地１２０および足底部１０４を形成する第２の伸縮性編地１４０と、伸縮性細幅生地１１４とが同じ共生地で形成されていても構わない。すなわち、踵接着テープ１０６および底接着テープ１０８を除いて、このフットカバー１００は、全て同じ伸縮性生地（トリコット等）で形成されていても構わない。なお、このフットカバー１００において、伸縮性細幅生地１１４は、生地に、熱プレス装置により加熱することにより伸縮性細幅生地１１４に塗布された接着材が溶融して生地と熱接着して接合されている。
【００２７】
また、フットカバー１００において、このフットカバー１００を形成する足底部１０４以外の側部１０２を形成する第１の伸縮性編地１２０と、足底部１０４を形成する第２の
伸縮性編地１４０とが同じ生地でなく形成されていても構わないし、第１の伸縮性編地１２０と第２の伸縮性編地１４０と伸縮性細幅生地１１４とが同じ生地でなく形成されていても構わない。
【００２８】
以上のようにして、本実施の形態に係るフットカバー１００によると、足底部１０４以外の側部１０２を形成する第１の伸縮性編地１２０と足底部１０４を形成する第２の伸縮性編地１４０とがそれぞれ１枚の生地で構成され、かつ、それらが底接着テープ１０８で接合されているとともに、第１の伸縮性編地１２０において踵接着テープ１０６で接合されて踵部１０２Ｃが形成されている。このため、従来のフットカバーのように足底部と踵部とが別々の生地で縫製されている場合に発生する問題である、縫い目が踵に引っ掛かって歩行時やパンプスの脱ぎ履き時にフットカバーが脱げてしまったり履き位置がずれてしまったりする問題、を回避することができる。さらに、このフットカバー１００によると、縫い目が全く存在しないので履き心地が極めて良いものとなる。
【００２９】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３０】
本発明は、素足で履くフットカバーに好適であり、縫い目があるために歩行時やパンプスの脱ぎ履き時にフットカバーが脱げてしまったり履き位置がずれてしまったりすることがないように、かつ、縫い目があるために履きにくかったり履き心地が悪かったりすることがない点で特に好ましい。
【符号の説明】
【００３１】
１００  フットカバー
１０２  側部
１０２Ａ  爪先部
１０２Ｂ  側辺部
１０２Ｃ  踵部
１０４  足底部
１０４Ａ  爪先側足底部
１０４Ｂ  中央足底部
１０４Ｃ  踵側足底部
１０６  踵接着テープ
１０６Ａ  踵左側接着線
１０６Ｂ  踵右側接着線
１０８  底接着テープ
１０８Ａ  下側接着線
１０８Ｂ  上側接着線
１１４  伸縮性細幅生地
１１６  踵部滑り止め
１２０  第１の伸縮性編地
１４０  第２の伸縮性編地
Ｆ  足
【図１】
2018095996.tif 000003
【図２】
2018095996.tif 000004
【図３】
2018095996.tif 000005
【図４】
2018095996.tif 000006